(57)【要約】【課題】  移動体に対してコンテンツ情報を配信することにより、移動体の流れを制御することを目的とする。【解決手段】  コンテンツ配信サーバ１００は、動態情報受信装置１１０で、ビデオカメラ５１０などの各場所の情報収集装置５００から複数移動体の動態情報を取得する。コンテンツ配信サーバ１００は、情報選択装置２００で、取得した動態情報に含まれる移動体の属性を取得し、取得した属性から移動体をグルーピングし、コンテンツストレージ３００に記憶したコンテンツ情報から、グループに対して配信するコンテンツ情報であって、複数場所にいる複数移動体の流れをそれぞれ制御するコンテンツ情報を場所ごとに選択する。コンテンツ配信サーバ１００は、情報配信装置で、選択したコンテンツ情報を画像表示装置やスピーカなどの複数の場所に設置された情報出力装置４００に配信、出力する。【選択図】        図１
2005301332.tif 000002
【特許請求の範囲】
【請求項１】
コンテンツ情報を記憶するコンテンツストレージと、
複数の場所に設置された情報収集装置の各々から、各場所の複数移動体の動態情報を受信する動態情報受信装置と、
動態情報受信装置が受信した各場所の複数移動体の動態情報からこの動態情報に含まれる個々の属性を取得し、取得した属性から複数移動体をグループにグルーピングし、コンテンツストレージに記憶したコンテンツ情報から、グループに対して配信するコンテンツ情報であって、複数場所にいる複数移動体の流れをそれぞれ制御するコンテンツ情報を場所ごとに選択する情報選択装置と、
情報選択装置が選択したコンテンツ情報を複数の場所に設置された情報出力装置に配信する情報配信装置と
を備えたことを特徴とするコンテンツ配信サーバ。
【請求項２】
上記情報選択装置は、
各場所の複数移動体の動態情報を分析して動態情報に含まれる個々の属性を取得し、場所ごとに共通の属性を持つ移動体をグループにグルーピングし、各グループに各コンテンツ情報を配信した場合に得られる移動体の流れ度数を求める属性分析部と、
属性分析部が求めた流れ度数の値に基づいてコンテンツ情報を配信するグループと配信するコンテンツ情報との組み合わせを場所ごとに配信候補として選択する配信候補選択部と、
配信候補選択部が選択した場所ごとの配信候補から、複数場所の配信候補の組み合わせを作成し、配信候補の組み合わせから、移動体の流れを予測して、移動体の流れを制御する配信候補の組み合わせを選択する流れ制御部と、
流れ制御部が選択した配信候補を配信するコンテンツ情報として出力する配信情報決定部と
を備えたことを特徴とする請求項１記載のコンテンツ配信サーバ。
【請求項３】
上記コンテンツストレージは、コンテンツ情報の持つ複数種類の意味の強度を、複数の意味成分として記憶するとともに、コンテンツ情報の持つ複数種類の意味成分に対して移動体の属性ごとにそれぞれ示す反応の度合いを、移動体の属性ごとに意味成分に対する反応係数として記憶するとともに、
上記属性分析部は、
各グループに各コンテンツ情報を配信した場合に得られる移動体の流れ度数を、コンテンツストレージに記憶された複数の意味成分とそれらの意味成分に対する反応係数とから求め、求めた流れ度数と各グループに属する移動体の数とに基づいて、移動体の流れ度数の総和を求めることを特徴とする請求項２記載のコンテンツ配信サーバ。
【請求項４】
上記コンテンツストレージは、コンテンツ情報として、配信するコンテンツとそのコンテンツに関連する位置とを記憶し、
上記流れ制御部は、コンテンツ情報の含まれた位置を参照して、配信候補の組み合わせのとおりコンテンツ情報を配信した場合に、移動体の流れが集中する場所があるか予測して、移動体の流れによる移動体の集中を回避する配信候補の組み合わせを選択する集中回避部を備えたことを特徴とする請求項３記載のコンテンツ配信サーバ。
【請求項５】
上記集中回避部は、少なくとも、
同時期に同じ場所に移動体の流れが集中する配信候補の組み合わせを選択しない同時集中回避部と、
移動体の流れが交差する配信候補の組み合わせを選択しない流れ交差回避部と、
移動体の流れが同一経路となる配信候補の組み合わせを選択しないボトルネック回避部とのいずれかを備えたことを特徴とする請求項４記載のコンテンツ配信サーバ。
【請求項６】
上記コンテンツストレージは、移動体を誘導したい場所である誘導場所を記憶するとともに、コンテンツ情報としてコンテンツとそのコンテンツに関連する位置とを記憶し、
上記流れ制御部は、コンテンツ情報の含まれた位置を参照して、配信候補の組み合わせのとおりコンテンツ情報を配信した場合に、移動体の流れを誘導場所に誘導できるか予測して、移動体の流れを誘導場所に誘導できる配信候補の組み合わせを選択する流れ誘導部を備えたことを特徴とする請求項２記載のコンテンツ配信サーバ。
【請求項７】
上記流れ誘導部は、少なくとも、
移動体の流れの途中に誘導場所が存在する配信候補の組み合わせを選択する間接誘導部と、
移動体の流れが循環する配信候補の組み合わせを選択する循環誘導部と、
移動体の流れを短くして移動体の移動負荷を軽減する配信候補の組み合わせを選択する移動負荷軽減部と
のいずれかを備えたことを特徴とする請求項６記載のコンテンツ配信サーバ。
【請求項８】
複数の場所に設置され、各場所の複数移動体の動態情報を収集して送信する情報収集装置と、
情報収集装置の各々から、各場所の複数移動体の動態情報を受信して、コンテンツ情報を配信するコンテンツ配信サーバと、
複数の場所に設置され、コンテンツ配信サーバからコンテンツ情報を受信して出力する情報出力装置とを備え、
上記コンテンツ配信サーバは、
コンテンツ情報を記憶するコンテンツストレージと、
複数の場所に設置された情報収集装置の各々から、各場所の複数移動体の動態情報を受信する動態情報受信装置と、
動態情報受信装置が受信した各場所の複数移動体の動態情報からこの動態情報に含まれる個々の属性を取得し、取得した属性から複数移動体をグループにグルーピングし、コンテンツストレージに記憶したコンテンツ情報から、グループに対して配信するコンテンツ情報であって複数場所にいる複数移動体の流れをそれぞれ制御するコンテンツ情報を場所ごとに選択する情報選択装置と、
情報選択装置が選択したコンテンツ情報を複数の場所に設置された情報出力装置に配信する情報配信装置と
を備えたことを特徴とする移動体誘導システム。
【請求項９】
上記情報収集装置は、上記情報出力装置により、コンテンツ情報が出力された場合、移動体の変化情報を収集し、
上記コンテンツ配信サーバは、上記情報収集装置が収集した移動体の変化情報を受信して記憶する変化情報記憶部を備え、
上記コンテンツ配信サーバは、移動体の変化情報を参照して配信するコンテンツ情報を選択することを特徴とする請求項８記載の移動体誘導システム。
【請求項１０】
上記情報収集装置として撮像装置を備え、
上記情報出力装置として表示装置を備えた画像入出力装置を備えたことを特徴とする請求項８記載の移動体誘導システム。
【請求項１１】
上記情報収集装置は、撮像装置と、撮像装置を移動させるアクチュエータとを備え、撮像方向を変えて場所周辺の複数移動体の動態情報を収集することを特徴とする請求項８記載の移動体誘導システム。
【請求項１２】
上記情報収集装置は、移動体が所有する電子情報発信器から移動体の動態情報を受信する無線受信信号であることを特徴とする請求項８記載の移動体誘導システム。
【請求項１３】
上記情報出力装置は、特定の位置にいる移動体に対して指向性音声を放射するための指向性スピーカを備えたことを特徴とする請求項８記載の移動体誘導システム。
【請求項１４】
上記情報出力装置は、特定の動態情報を有する移動体に対して、指向性スピーカの指向性音声を放射することを特徴とする請求項１３記載の移動体誘導システム。
【請求項１５】
上記情報出力装置は、複数の指向性スピーカを備え、異なる移動体に対して、異なる内容の指向性音声を放射することを特徴とする請求項１３記載の移動体誘導システム。
【請求項１６】
上記情報出力装置は、移動しながらコンテンツ情報を出力することを特徴とする請求項８記載の移動体誘導システム。
【請求項１７】
コンテンツストレージに、コンテンツ情報を記憶する工程と、
複数の場所に設置された情報収集装置の各々から、各場所の複数移動体の動態情報を受信する動態情報受信工程と、
動態情報受信工程が受信した各場所の複数移動体の動態情報からこの動態情報に含まれる個々の属性を取得し、取得した属性から複数移動体をグループにグルーピングし、コンテンツストレージに記憶したコンテンツ情報から、グループに対して配信するコンテンツ情報であって複数場所にいる複数移動体の流れをそれぞれ制御するコンテンツ情報を場所ごとに選択する情報選択工程と、
情報選択工程が選択したコンテンツ情報を複数の場所に設置された情報出力装置に配信する情報配信工程と
を備えたことを特徴とするコンテンツ配信方法。
【請求項１８】
請求項１７記載のコンテンツ配信方法をコンピュータに実行させるコンテンツ配信プログラム。
【請求項１９】
上記動態情報受信装置は、複数移動体の動態情報を含む画像情報を受信し、上記情報選択装置は、画像情報を分析して複数移動体の動態情報を抽出することを特徴とする請求項１記載のコンテンツ配信サーバ。
【請求項２０】
コンテンツ情報を記憶するコンテンツストレージと、
複数の場所に設置された情報収集装置の各々から、各場所の複数移動体の動態情報を分析して取得された個々の属性を受信する動態情報受信装置と、
動態情報受信装置が受信した各場所の複数移動体の動態情報に含まれる個々の属性を入力し、入力した属性から複数移動体をグループにグルーピングし、コンテンツストレージに記憶したコンテンツ情報から、グループに対して配信するコンテンツ情報であって、複数場所にいる複数移動体の流れをそれぞれ制御するコンテンツ情報を場所ごとに選択する情報選択装置と、
情報選択装置が選択したコンテンツ情報を複数の場所に設置された情報出力装置に配信する情報配信装置と
を備えたことを特徴とするコンテンツ配信サーバ。
【請求項２１】
複数の場所に設置され、各場所の複数移動体の動態情報を収集して、収集した動態情報を分析して個々の属性を得て、得られた個々の属性を送信する情報収集装置と、
情報収集装置の各々から、各場所の複数移動体の動態情報に含まれた個々の属性を受信して、コンテンツ情報を配信するコンテンツ配信サーバと、
複数の場所に設置され、コンテンツ配信サーバからコンテンツ情報を受信して出力する情報出力装置とを備え、
上記コンテンツ配信サーバは、
コンテンツ情報を記憶するコンテンツストレージと、
複数の場所に設置された情報収集装置の各々から、各場所の複数移動体の動態情報に含まれた個々の属性を受信する動態情報受信装置と、
動態情報受信装置が受信した各場所の複数移動体の動態情報に含まれた個々の属性を入力し、入力した属性から複数移動体をグループにグルーピングし、コンテンツストレージに記憶したコンテンツ情報から、グループに対して配信するコンテンツ情報であって複数場所にいる複数移動体の流れをそれぞれ制御するコンテンツ情報を場所ごとに選択する情報選択装置と、
情報選択装置が選択したコンテンツ情報を複数の場所に設置された情報出力装置に配信する情報配信装置と
を備えたことを特徴とする移動体誘導システム。
【発明の詳細な説明】
【技術分野】
【０００１】
本発明は、コンテンツ配信についてのデータ処理におけるコンテンツ配信サーバ、移動体誘導システム、コンテンツ配信方法およびコンテンツ配信プログラムに関するものである。
【背景技術】
【０００２】
従来のシステムには、
ビデオカメラから取得した映像に基づいて、付近にいる人の動態情報を計測してコンテンツ配信センターに送り、
コンテンツ配信センターが収集した動態情報に基づいて配信すべきコンテンツ情報を選択、配信するカメラ付きの屋外設置用表示装置を用いたものがある（特許文献１、２、３）。
【０００３】
また、ビデオカメラから取得した映像に基づいて、駅の構内や商店街における人の流れを認識するカメラ付きの屋外設置用表示装置を用いたシステムもある（特許文献４）。
【特許文献１】特開２０００−１０５５８３号公報
【特許文献２】特開２００３−４３９６７号公報
【特許文献３】特開２００２−１２３２３７号公報
【特許文献４】特開平６−２６６８４０号公報
【非特許文献１】Ｓｈａｋｈｎａｒｏｖｉｃｈ，Ｇ．；  Ｖｉｏｌａ，Ｐ．Ａ．；  Ｍｏｇｈａｄｄａｍ，Ｂ．，“Ａ  Ｕｎｉｆｉｅｄ  Ｌｅａｒｎｉｎｇ  Ｆｒａｍｅｗｏｒｋ  ｆｏｒ  Ｒｅａｌ−Ｔｉｍｅ  Ｆａｃｅ  Ｄｅｔｅｃｔｉｏｎ  ａｎｄ  Ｃｌａｓｓｉｆｉｃａｔｉｏｎ”，ＩＥＥＥ  Ｉｎｔｅｒｎａｔｉｏｎａｌ  Ｃｏｎｆｅｒｅｎｃｅ  ｏｎ  Ａｕｔｏｍａｔｉｃ  Ｆａｃｅ  ａｎｄ  Ｇｅｓｔｕｒｅ  Ｒｅｃｏｇｎｉｔｉｏｎ（ＦＧ），ｐｐ．１４−２１，Ｍａｙ  ２００２
【発明の開示】
【発明が解決しようとする課題】
【０００４】
従来の技術では、ビデオカメラから人の動態情報を取得して、取得した動態情報に基づいたコンテンツ情報を表示装置から配信することで、配信したコンテンツ情報に反応した人が特定の場所に集中する場合があり、
また、ビデオカメラから取得した映像に基づいて、人の流れを認識できても、人の流れを制御することはできなかった。
【０００５】
本発明は、上記のような問題点を解決するためになされたもので、
人や動物などの移動体の動態情報に基づいてコンテンツ情報を選択、配信することができることに加えて、コンテンツ情報を配信することにより、移動体の流れを制御することを目的とする。
【課題を解決するための手段】
【０００６】
本発明のコンテンツ配信サーバ１００は、
コンテンツ情報を記憶するコンテンツストレージ３００と、
複数の場所に設置された情報収集装置５００の各々から、各場所の複数移動体の動態情報を受信する動態情報受信装置１１０と、
動態情報受信装置１１０が受信した各場所の複数移動体の動態情報からこの動態情報に含まれる個々の属性を取得し、取得した属性から複数移動体をグループにグルーピングし、コンテンツストレージ３００に記憶したコンテンツ情報から、グループに対して配信するコンテンツ情報であって、複数場所にいる複数移動体の流れをそれぞれ制御するコンテンツ情報を場所ごとに選択する情報選択装置２００と、
情報選択装置２００が選択したコンテンツ情報を複数の場所に設置された情報出力装置４００に配信する情報配信装置１２０と
を備えたことを特徴とする。
【発明の効果】
【０００７】
本発明によれば、
人や動物などの移動体の動態情報に基づいてコンテンツ情報を選択、配信することができることに加えて、コンテンツ情報を配信することにより、移動体の流れを制御することで、移動体の特定場所での集中の回避や移動体の誘導ができる。
また、移動体の特定場所での集中の回避や移動体の誘導により、コンテンツ情報の配信に関わるサービスを効率化ができ、都市の活性化を促進することができる。
【発明を実施するための最良の形態】
【０００８】
実施の形態１．
図１は実施の形態１における移動体誘導システムの構成図である。
実施の形態１における移動体誘導システムの構成を図１に基づいて説明する。
【０００９】
移動体誘導システムは、複数の場所に設置される情報収集装置５００を備える。
情報収集装置５００は、各場所において、各場所にいる複数の人や複数の動物などの複数移動体について、各移動体の性別、年齢などの属性を含む動態情報と、移動体の動作を示す変化情報とを含む移動体の画像情報を収集して、コンテンツ配信サーバ１００に送信する。
移動体誘導システムは、情報収集装置５００の各々から、各場所の複数移動体の動態情報を受信して、各移動体の属性と、各移動体の属性ごとの各コンテンツ情報に対する反応に基づいて、各場所の複数移動体を同じ場所に集中させない流れや、各場所の複数移動体を誘導したい場所に誘導する流れを制御するコンテンツ情報を決定して、決定した配信するコンテンツ配信サーバ１００を備える。
移動体誘導システムは、複数の場所に設置され、コンテンツ配信サーバ１００からコンテンツ情報を受信して、受信したコンテンツ情報を出力し、各場所の複数移動体に向かってコンテンツ情報を配信する情報出力装置４００を備える。
【００１０】
情報収集装置５００は撮像装置（ビデオカメラ５１０）を備え、情報出力装置４００は表示装置４１０を備えた画像入出力装置を備える。
また、情報収集装置５００は、撮像装置に加え、撮像方向を変えて場所周辺の複数移動体の動態情報を収集するために、撮像装置の撮像方向を移動させるアクチュエータ５２０を備えてもよい。
【００１１】
情報収集装置５００が撮像装置を備えることにより、移動体の動態情報や移動体の変化情報を取得することができ、情報出力装置４００が画像入出力装置を備えることにより、音声に加えて画像のコンテンツ情報を配信することができる。
【００１２】
また、情報収集装置５００にアクチュエータ５２０を備えることにより、移動体の動態情報を広範にわたり収集することができる。
【００１３】
コンテンツ配信サーバ１００は、配信するコンテンツを含んだコンテンツ情報を記憶するコンテンツストレージ３００を備える。
また、コンテンツ情報は、コンテンツ情報に含まれる配信するコンテンツの持つ複数種類の意味に対して各意味の強度を示す意味成分を含む。
また、コンテンツストレージ３００は、コンテンツ情報に含まれる配信するコンテンツが持つ複数の意味に対して移動体が反応する度合いを示す反応係数を記憶する。
【００１４】
コンテンツ配信サーバ１００は、複数の場所に設置された情報収集装置５００の各々から、各場所の複数移動体の動態情報と変化情報とを含む画像情報を受信する動態情報受信装置１１０を備える。
【００１５】
コンテンツ配信サーバ１００は、
動態情報受信装置１１０が受信した画像情報に含まれる各場所の複数移動体の動態情報を分析して、
動態情報に含まれる個々の属性を取得し、
場所ごとに共通の属性を持つ移動体をグループにグルーピングし、
各グループに各コンテンツ情報を配信した場合に得られる、配信したコンテンツ情報に対して移動体が移動する流れの度合いを示す流れ度数を、コンテンツストレージ３００に記憶されたコンテンツ情報に含まれる意味成分と、コンテンツストレージ３００に記憶された反応係数に基づいて求めて、
流れ度数に基づいてコンテンツ情報を配信するグループと配信するコンテンツ情報との組み合わせを場所ごとに配信候補として選択し、
場所ごとの配信候補から、複数場所の配信候補の組み合わせを作成し、
配信候補の組み合わせから、移動体の流れを予測して、
複数場所にいる複数移動体の流れをそれぞれ制御する配信候補の組み合わせを選択する情報選択装置２００を備える。
【００１６】
動態情報受信装置１１０が複数移動体の動態情報を含む画像情報を受信し、情報選択装置２００が画像情報を分析して複数移動体の動態情報を抽出することにより、動態情報を分析し、動態情報に含まれる移動体の属性を取得することができる。
【００１７】
コンテンツ配信サーバ１００は、情報選択装置２００が選択したコンテンツ情報を複数の場所に設置された情報出力装置４００に配信する情報配信装置１２０を備える。
コンテンツ配信サーバ１００は、移動体の流れ制御に使用する各種情報を記憶する制御情報記憶部１４０を備える。
制御情報記憶部１４０が記憶する各種情報には、下記実施の形態２で使用する有効範囲、有効距離がある。これらの詳細については、実施の形態２で説明する。
コンテンツ配信サーバ１００は、移動体の変化情報を参照して配信するコンテンツ情報を選択するため、情報収集装置５００が収集した移動体の変化情報を受信して記憶する変化情報記憶部１３０を備える。
【００１８】
コンテンツ配信サーバ１００が、情報収集装置５００が収集した移動体の変化情報を参照することにより、移動体の速度と移動体の移動方向を取得することができ、
コンテンツ配信サーバ１００に含まれる情報選択装置２００は、移動体の速度から求めた移動体の移動距離と移動体の移動方向に基づいて任意の時間に移動体がいる場所を予測することができ、この予測に基づいて移動体の流れを制御するコンテンツ情報の配信ができる。
【００１９】
情報出力装置４００は、特定の位置にいる移動体に対して、指向性音声を放射するための指向性スピーカ４２０と、
指向性スピーカ４２０の指向方向を移動させるアクチュエータ４３０とを備えてもよい。
また、情報出力装置４００に含まれる指向性スピーカ４２０は、特定の動態情報を有する移動体に対して、指向性音声を放射してもよい。
また、情報出力装置４００に含まれる指向性スピーカ４２０は、異なる移動体に対して、異なる内容の指向性音声を放射するために複数備えてもよい。
【００２０】
情報出力装置４００が指向性スピーカ４２０を備えることにより、音声によるコンテンツ情報を配信する方向範囲を限定することができる。
【００２１】
また、情報出力装置４００に含まれる指向性スピーカ４２０が、特定の動態情報を有する移動体に対して、指向性音声を放射することにより、それ以外の動態情報を有する移動体に、音声によるコンテンツ情報を配信しないことができる。
【００２２】
また、情報出力装置４００に含まれる指向性スピーカ４２０が複数あることにより、同時に特定の動態情報を有する移動体ごとに、音声による異なるコンテンツ情報を配信でき、コンテンツ情報の配信により、一度に流れを制御する移動体の対象数を増加することができる。
【００２３】
情報出力装置４００は、移動しながらコンテンツ情報を配信してもよい。
【００２４】
情報出力装置４００が、移動しながらコンテンツ情報を配信することにより、制御する移動体の所在範囲を広げることができる。
【００２５】
図２は、実施の形態１におけるコンテンツ配信サーバ１００の外観を示す図である。
図２において、コンテンツ配信サーバ１００は、システムユニット９１０、ＣＲＴ（Ｃａｔｈｏｄｅ  Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６、スキャナ装置９０７を備え、これらはケーブルで接続されている。
さらに、コンテンツ配信サーバ１００は、ＦＡＸ機９３２、電話器９３１とケーブルで接続され、また、ローカルエリアネットワーク（ＬＡＮ）９４２、ウェブサーバ９４１を介してインターネット９４０に接続されている。
【００２６】
図３は、実施の形態１におけるコンテンツ配信サーバ１００のハードウェア構成図である。
図３において、コンテンツ配信サーバ１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
ＲＡＭ９１４は、揮発性メモリの一例である。ＲＯＭ９１３、ＦＤＤ９０４、ＣＤＤ９０５、磁気ディスク装置９２０、光ディスク装置は、不揮発性メモリの一例である。これらは、記憶装置、記憶部あるいはストレージの一例である。
通信ボード９１５は、ＦＡＸ機９３２、電話器９３１、ＬＡＮ９４２等に接続されている。
例えば、通信ボード９１５、Ｋ／Ｂ９０２、ＦＤＤ９０４などは、情報入力部の一例である。
また、例えば、通信ボード９１５、スキャナ装置９０７、ＣＲＴ表示装置９０１などは、出力部の一例である。
【００２７】
ここで、通信ボード９１５は、ＬＡＮ９４２に限らず、直接、インターネット９４０、或いはＩＳＤＮ等のＷＡＮ（ワイドエリアネットワーク）に接続されていても構わない。直接、インターネット９４０、或いはＩＳＤＮ等のＷＡＮに接続されている場合、コンテンツ配信サーバ１００は、インターネット９４０、或いはＩＳＤＮ等のＷＡＮに接続され、ウェブサーバ９４１は不用となる。
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００２８】
上記プログラム群９２３には、以下に述べる実施の形態の説明において「〜部」、「〜装置」として説明する機能を実行するプログラムが記憶されている。プログラムは、ＣＰＵ９１１により読み出され実行される。
ファイル群９２４には、以下に述べる実施の形態の説明において、「〜の判定結果」、「〜の計算結果」、「〜の処理結果」、「〜テーブル」として説明するものが、「〜ファイル」として記憶されている。
また、以下に述べる実施の形態の説明において説明するフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００２９】
また、以下に述べる実施の形態の説明において「〜部」、「〜装置」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００３０】
また、以下に述べる実施の形態を実施するプログラムは、また、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いて記憶されても構わない。
【００３１】
図４は、実施の形態１における情報選択装置２００とコンテンツストレージ３００の構成図である。
実施の形態１における情報選択装置２００とコンテンツストレージ３００の構成を図４に基づいて説明する。
【００３２】
コンテンツストレージ３００は、配信するコンテンツを含むコンテンツ情報を記憶するコンテンツ情報テーブル３１０を備える。
【００３３】
コンテンツ情報は、コンテンツ情報に含まれる配信するコンテンツの持つ複数種類の意味の強度を、複数の意味成分として記憶する。
コンテンツ情報の持つ意味とは、コンテンツ情報に含まれる内容のことであり、
コンテンツ情報が、女性向けのファッションのショッピングに関するものであれば、女性向け、ファッション、ショッピングが、このコンテンツ情報に含まれる意味である。
また、意味の強度とは、コンテンツ情報に対する各意味の重要度のことであり、
例えば、コンテンツ情報が、ファッションに関する商品の宣伝であり、そのファッションは男女兼用だが女性に人気があるといった場合であれば、宣伝の主となるファッションという意味の強度の値は高く、宣伝の従属的な意味である女性向けという意味の強度の値は低くなる。
コンテンツ情報テーブル３１０は、コンテンツ情報を配信することにより、移動体を移動する場所の位置を記憶する。
【００３４】
コンテンツストレージ３００は、移動体の動態情報に含まれる属性の組み合わせごとに、コンテンツ情報に含まれる各意味に対して、属性の組み合わせでグルーピングされた移動体の各グループの反応度合いを示す反応係数を記憶する反応係数テーブル３２０を備える。
属性の組み合わせとは、例えば、性別属性と年齢属性による組み合わせであれば、１０代男性、２０代男性、１０代女性などのことである。
【００３５】
コンテンツストレージ３００は、コンテンツ情報を配信することにより、移動体を移動させたい誘導場所の位置と、移動体をその誘導場所に移動させたい誘導時間を記憶する誘導場所テーブル３３０を備える。
【００３６】
コンテンツストレージ３００は、コンテンツ情報を配信する情報出力装置４００の位置を記憶する出力場所テーブル３４０を備える。
【００３７】
情報選択装置２００は、
情報収集装置５００が収集した場所ごとのの複数移動体の動態情報を分析して、
動態情報に含まれる個々の属性を取得し、
場所ごとに共通の属性を持つ移動体をグループにグルーピングし、
各グループに各コンテンツ情報を配信した場合に得られる、配信したコンテンツ情報に対して移動体が移動する流れの度合いを示す流れ度数を、コンテンツストレージ３００に記憶されたコンテンツ情報の持つ意味の強度を示す意味成分と、コンテンツストレージ３００に記憶されたコンテンツ情報の持つ各意味に対する移動体の反応する度合いを示す反応係数に基づいて求める属性分析部２１０を備える。
情報選択装置２００は、
属性分析部２１０が求めた流れ度数に基づいてコンテンツ情報を配信するグループと配信するコンテンツ情報との組み合わせを場所ごとに配信候補として選択する配信候補選択部２２０を備える。
情報選択装置２００は、
配信候補選択部２２０が選択した場所ごとの配信候補から、複数場所の配信候補の組み合わせを作成し、
配信候補の組み合わせから、移動体の流れを予測して、
複数場所にいる複数移動体の流れをそれぞれ制御する配信候補の組み合わせを選択する流れ制御部２３０を備える。
情報選択装置２００は、
流れ制御部２３０が選択した配信候補を配信するコンテンツ情報として出力する配信情報決定部２４０を備える。
【００３８】
流れ制御部２３０は、
コンテンツストレージ３００に記憶されるコンテンツ情報テーブル３１０の各コンテンツ情報に含まれる、移動体が移動する場所の位置と、コンテンツストレージ３００に記憶される出力場所テーブル３４０の各出力場所の位置とに基づいて移動体の移動場所、移動体の移動経路を分析して、
配信候補の組み合わせのとおりコンテンツ情報を配信した場合に、移動体の流れが集中する場所、経路があるか予測して、
移動体の流れの集中を回避する配信候補の組み合わせを選択する集中回避部２３１を備える。
【００３９】
集中回避部２３１は、
分析した移動体の移動場所が同じ場所になり、移動体の流れが移動場所で集中する配信候補の組み合わせを選択しない同時集中回避部２３２を備える。
集中回避部２３１は、
分析した移動体の移動経路に基づいて、移動体の流れの移動経路が交差する配信候補の組み合わせを選択しない流れ交差回避部２３３を備える。
集中回避部２３１は、
分析した移動体の移動経路が同一経路になり、移動体の流れのボトルネックとなる配信候補の組み合わせを選択しないボトルネック回避部２３４を備える。
【００４０】
流れ制御部２３０は、
コンテンツストレージ３００に記憶されるコンテンツ情報テーブル３１０の各コンテンツ情報に含まれる、移動体が移動する位置と、コンテンツストレージ３００に記憶される出力場所テーブル３４０の各出力場所の位置とに基づいて移動体の移動場所、移動体の移動経路を分析して、
配信候補の組み合わせのとおりコンテンツ情報を配信した場合に、移動体の流れをコンテンツストレージ３００に記憶される誘導場所テーブル３３０の各誘導場所に誘導できるか予測して、
移動体の流れを誘導する配信候補の組み合わせを選択する流れ誘導部２３６を備える。
【００４１】
流れ誘導部２３６は、
分析した移動体の移動経路に基づいて、移動体の流れの途中に誘導場所テーブル３３０の各誘導場所が存在する配信候補の組み合わせを選択する間接誘導部２３７を備える。
流れ誘導部２３６は、
分析した移動体の移動場所と移動体の移動経路に基づいて、移動体の流れが誘導場所テーブル３３０の各誘導場所を循環する配信候補の組み合わせを選択する循環誘導部２３８を備える。
流れ誘導部２３６は、
分析した移動体の移動場所と移動体の移動経路に基づいて、誘導場所テーブル３３０の各誘導場所に移動する移動体の流れを短くして移動体の移動負荷を軽減する配信候補の組み合わせを選択する移動負荷軽減部２３９を備える。
【００４２】
情報選択装置２００が、
コンテンツ情報の各意味成分とコンテンツ情報の持つ各意味に対する移動体の反応係数に基づいて流れ度数を求め、
求めた流れ度数に基づいてコンテンツ情報を配信するグループと配信するコンテンツ情報との組み合わせを配信候補として場所ごとに選択する方法を説明する。
【００４３】
図５は、実施の形態１における移動体の流れの生成原理を示す図である。
図５において、情報出力装置４００であるインテリジェントビルボードは、移動体である情報受容者に、コンテンツ情報を配信する。
コンテンツ情報を配信することで、受容者にコンテンツ情報を肯定的に受け取るポジティブアクション、またはコンテンツ情報を否定的に受け取るネガティブアクションを起こす。
【００４４】
図６は、実施の形態１における移動体の流れの生成条件を示す図である。
図６において、ショッピング、ファッション、グルメ、子供向け、女性向けなどのコンテンツ情報の持つ各意味について、意味ごとの強度を示すコンテンツ情報の意味成分と、
強く肯定的、無関心、否定的、肯定的などの、コンテンツ情報の各意味に対する情報受容者の反応の度合いを示す反応係数（例えば、ファッションや女性向けといった意味であれば女性の反応が大きく、アニメや子供向けといった意味であれば子供の反応が大きいなど）を掛けることにより、移動体の流れる度合いを示す流れ度数を求める。
流れ度数が０より大きければポジティブアクションによる移動体の流れ、流れ度数が０より小さければネガティブアクションによる移動体の流れを生成する。
また、ポジティブアクション、ネガティブアクションに関わらず流れ度数の絶対値が大きいほど、移動体の流れる度合いは大きくなる。
ここで、意味成分はその意味を含むコンテンツ情報の内容に依存し、反応係数は、意味と移動体の関係の他に、移動体の目的やコンテンツ情報を配信する時間に依存する。
【００４５】
図７は、実施の形態１における流れ度数の計算方法を示す図である。
図７（ａ）において、Ｓはコンテンツストレージ３００、ｓはコンテンツストレージ３００に記憶される各コンテンツ情報、ａはコンテンツ情報に含まれる各意味成分、Ｈは情報受容者全体、ｈは情報受容者を属性でグルーピングした各情報受容者グループ、ｂは意味成分に対する各情報受容者グループの反応係数である。
【００４６】
ここで、ｉ番目のコンテンツ情報（ｓi）を配信した場合の、ｊ番目の情報受容者グループ（ｈj）の流れ度数であるｅijは、
ｉ番目のコンテンツ情報（ｓi）に含まれる一つの意味成分（ａk）に、
情報受容者グループの意味成分（ａk）に対する反応係数（ｂk）を掛ける値を、
ｉ番目のコンテンツ情報（ｓi）に含まれる全ての意味成分（ａ1、ａ2、…ａo）に対して求めて合計した値の絶対値である。
【００４７】
図７（ａ）の計算式を使用した流れ度数ｅの計算例を図７（ｂ）に示す。
コンテンツ情報ｓ1を配信した場合の、情報受容者グループｈ1（３０歳未満の男性）の流れ度数は以下に述べるように１２である。
まず、コンテンツ情報テーブル３１０において、コンテンツ情報ｓ1に含まれる一つの意味であるファッションの意味成分の４に、反応係数テーブル３２０において、グループｈ1のファッションに対する反応係数の３を掛けた値は１２となる。
さらに、コンテンツ情報ｓ1に含まれるもう一つの意味である女性向けの意味成分の５に、グループｈ1の女性向けに対する反応係数の０を掛けた値は０となる。
求めたコンテンツ情報ｓ1の全ての意味成分に対して反応係数を掛けた値である１２と０を合計し、流れ度数は１２となる。
また、同様に計算すると、コンテンツ情報ｓ1に含まれる各意味成分に、情報受容者グループｈ3（３０歳以上の男性）の各意味成分に対する反応係数を掛けて、これを合計すると−２となるが、この絶対値をとり、流れ度数は２となる。
同様にして、各コンテンツ情報ｓiを配信した場合の、情報受容者グループｈjの流れ度数ｅijを計算する。
【００４８】
図８は、実施の形態１における移動体の流れの生成方法を示す図である。
実施の形態１における移動体の流れの生成方法を図８に基づいて説明する。
【００４９】
撮像装置や撮像装置にアクチュエータ５２０を組み合わせたもの等の情報収集装置５００から移動体の動態情報を取得し、取得した動態情報を分析して性別、年代など属性を取得する。
取得した移動体の属性に基づいて同じ属性を持つ移動体をグルーピングする。
コンテンツ情報の各意味成分とコンテンツ情報の各意味成分に対する移動体の各グループの反応係数に基づいて各グループの流れ度数を求める。
求めた各グループの流れ度数と各グループに含まれるの移動体の人数を掛けて、各グループの流れ度数のグループ計を求める。
求めた流れ度数のグループ計が最大となるグループに対象のコンテンツ情報を配信する。
これにより、配信したコンテンツ情報が示す場所への移動体の流れを生成することができる。
【００５０】
図９は、実施の形態１における流れ度数に基づいたコンテンツ情報を配信するグループと配信するコンテンツ情報との組み合わせを選択する例を示す図である。
図９において、移動体である情報受容者の持つ属性を性別、年代とする。
また、年代は３０歳未満、３０歳以上で分別する。
また、コンテンツ情報はｓ1，ｓ2，ｓ3の３コンテンツとする。
属性の分別により、性別と年代の組み合わせである「３０歳未満の男性（ｈ1）」、「３０歳未満の女性（ｈ2）」、「３０歳以上の男性（ｈ3）」、「３０歳未満の女性（ｈ4）」の４グループに情報受容者をグルーピングする。
コンテンツごとにグルーピングした各グループの各コンテンツ情報に対する流れ度数（ｅij）を求める。
ここで示している各流れ度数（ｅij）は、図７（ｂ）で求めた値を使用している。
求めた流れ度数（ｅij）に各グループに含まれる情報受容者の人数を掛けて、各グループの各コンテンツ情報に対する流れ度数のグループ計（Ｅij）を求める。
結果として、求めた１２の流れ度数のグループ計（Ｅij）に基づいて上位３つのグループとコンテンツ情報の組み合わせを選択すると、組み合わせ（ｈ2ｓ1、ｈ4ｓ1、ｈ1ｓ2）になる。
【００５１】
生成した移動体の流れに対して、移動体である情報受容者の流れの集中を回避する方法である、
情報受容者の分散、情報受容者の流れ交差回避、情報受容者のボトルネック回避について説明する。
【００５２】
図１０は、実施の形態１における情報受容者の同時集中の分散について示す図である。
各情報出力装置４００が配信するコンテンツ情報により、情報受容者の流れが同時期、同じ場所に集中することを回避するための、情報受容者の移動場所の分散について図１０に基づいて説明する。
【００５３】
図１０において、情報出力装置４００であるインテリジェントビルボードの全て、またはインテリジェントビルボードの複数が、移動体である情報受容者に対して、同じ場所（場所２）に移動する情報受容者の流れを生成するコンテンツ情報を配信したとする。
配信したコンテンツ情報により、情報受容者にポジティブアクションを起こして場所２に移動させ、情報受容者を同時期に場所２に集中することになる。
【００５４】
ここで情報受容者の流れが場所２に集中することを回避するため、各インテリジェントビルボードは、情報受容者に対して、異なる場所に移動する情報受容者の流れを生成するコンテンツ情報を配信することで、情報受容者の流れが集中することを回避する。
【００５５】
すなわち、
インテリジェントビルボード１は、情報受容者１に対して、場所１に移動する情報受容者の流れを生成するコンテンツ情報を配信し、
インテリジェントビルボード２は、情報受容者２に対して、場所２に移動する情報受容者の流れを生成するコンテンツ情報を配信し、
インテリジェントビルボード３は、情報受容者３に対して、場所３に移動する情報受容者の流れを生成するコンテンツ情報を配信することにより、情報受容者の流れを各移動場所に分散し、集中を回避する。
【００５６】
図１１は、実施の形態１における情報受容者の流れ交差の回避について示す図である。
各情報出力装置４００が配信するコンテンツ情報による、情報受容者の流れの移動中の交差の回避について図１１に基づいて説明する。
【００５７】
図１１において、情報出力装置４００であるインテリジェントビルボード１は、移動体である情報受容者１に対して、場所２に移動する情報受容者の流れを生成するコンテンツ情報を配信し、配信したコンテンツ情報により、情報受容者１にポジティブアクションを起こして場所２に移動させる。
また、インテリジェントビルボード２は、情報受容者２に対して、場所１に移動する情報受容者の流れを生成するコンテンツ情報を配信し、配信したコンテンツ情報により、情報受容者２に同様にして場所１に移動させる。
ここで、インテリジェントビルボード１から場所２までの経路と、インテリジェントビルボード２から場所１までの経路が交差している場合、交差地点に情報受容者の流れが集中することになる。
【００５８】
情報受容者の流れの流れ交差を回避するため、インテリジェントビルボード１から移動場所までの経路と、インテリジェントビルボード２から移動場所までの経路が交差しないように、
インテリジェントビルボード１は、情報受容者１に対して、場所１に移動する情報受容者の流れを生成するコンテンツ情報を配信し、
インテリジェントビルボード２は、情報受容者２に対して、場所２に移動する情報受容者の流れを生成するコンテンツ情報を配信することにより、情報受容者の流れが交差することを回避することができる。
【００５９】
図１２は、実施の形態１における情報受容者のボトルネックの回避について示す図である。
各情報出力装置４００が配信するコンテンツ情報による情報受容者の流れが、同一な経路になることの回避について図１２に基づいて説明する。
【００６０】
図１２において、情報出力装置４００であるインテリジェントビルボード１は、移動体である情報受容者１に対して、場所１に移動する情報受容者の流れを生成するコンテンツ情報を配信し、配信したコンテンツ情報により、情報受容者１にポジティブアクションを起こして場所１に移動させる。
また、インテリジェントビルボード２が、情報受容者２に対して、場所２に移動する情報受容者の流れを生成するコンテンツ情報を配信し、配信したコンテンツ情報により、情報受容者２に同様にして場所２に移動させる。
ここで、インテリジェントビルボード１から場所１までの経路と、インテリジェントビルボード２から場所２までの経路が同一の経路である場合、同一の経路に情報受容者の流れが集中してボトルネックが起きる。
【００６１】
情報受容者の流れによるボトルネックを回避するため、インテリジェントビルボード１から移動場所までの経路と、インテリジェントビルボード２から移動場所までの経路が同一の経路にならないように、
インテリジェントビルボード１は、情報受容者１に対して、場所１に移動する情報受容者の流れを生成するコンテンツ情報を配信し、
インテリジェントビルボード２は、情報受容者２に対して、場所３に移動する情報受容者の流れを生成するコンテンツ情報を配信することにより、情報受容者の流れを同一経路に集中することを回避することができる。
【００６２】
図１３は、実施の形態１における情報選択装置２００のフローチャートである。
情報選択装置２００が、
コンテンツ情報を配信するグループと配信するコンテンツ情報との組み合わせを配信候補として場所ごとに選択し、
選択した配信候補から移動体の流れの集中を回避する各場所のコンテンツ情報の組み合わせを決定する処理の流れを図１３に基づいて説明する。
【００６３】
属性分析部２１０は、撮像装置や、撮像装置に撮像装置を移動させるアクチュエータ５２０を組み合わせたもの等である情報収集装置５００が設置された場所ごとに、情報収集装置５００が収集した、移動体の動態情報を含む画像情報を分析して、性別、年齢などの移動体の属性を取得する（Ｓ１０１）。
【００６４】
属性分析部２１０は、場所ごとに、取得した移動体の属性を組み合わせて、共通な属性の組み合わせを持つ移動体を移動体グループにグルーピングする（Ｓ１０２）。
【００６５】
属性分析部２１０は、場所ごとに、グルーピングした各移動体グループに対して、
コンテンツストレージ３００のコンテンツ情報テーブル３１０から、各コンテンツ情報の各意味成分を取得し、
コンテンツストレージ３００の反応係数テーブル３２０から、各移動体グループのコンテンツ情報の持つ各意味に対する反応係数を取得し、
取得した各意味成分に取得した各反応係数を掛け、掛けた値を合計して各コンテンツ情報に対する各移動体グループの流れ度数を求め、
求めた各流れ度数に各移動体グループの人数を掛けて各コンテンツ情報に対する各移動体グループの流れ度数の総和を求める（Ｓ１０３）。
【００６６】
配信候補選択部２２０は、場所ごとに、属性分析部２１０が求めた流れ度数が上位である移動体グループとコンテンツ情報の組み合わせを配信候補として選択する（Ｓ１０４）。
【００６７】
流れ制御部２３０は、配信候補選択部２２０が場所ごとに選択した配信候補に含まれる各コンテンツ情報を他の場所の配信候補に含まれる各コンテンツ情報と組み合わせ、配信候補組み合わせリストを作成する（Ｓ１０５）。
【００６８】
例えば、場所Ａの配信候補のコンテンツ情報がコンテンツ２、コンテンツ３、場所Ｂの配信候補のコンテンツ情報がコンテンツ１、コンテンツ３、場所Ｃの配信候補のコンテンツ情報がコンテンツ１、コンテンツ２の場合、
第１の配信候補組み合わせは、場所Ａがコンテンツ２、場所Ｂがコンテンツ１、場所Ｃがコンテンツ１、
同様に、第２の配信候補組み合わせはコンテンツ２、コンテンツ１、コンテンツ２、
第３の配信候補組み合わせはコンテンツ２、コンテンツ３、コンテンツ１、
第４の配信候補組み合わせはコンテンツ３、コンテンツ３、コンテンツ２、
第５の配信候補組み合わせはコンテンツ３、コンテンツ１、コンテンツ１、
第６の配信候補組み合わせはコンテンツ３、コンテンツ３、コンテンツ２の６つの配信候補組み合わせリストを作成する。
【００６９】
流れ制御部２３０の集中回避部２３１の同時集中回避部２３２は、流れ制御部２３０が作成した配信候補組み合わせリストから取得した配信候補組み合わせに対して、
各コンテンツ情報に含まれる移動体を移動する場所の位置に基づいて、移動体の流れを移動する場所で集中させるか判定する。
【００７０】
取得した配信候補組み合わせに含まれる各コンテンツ情報において、移動体を移動する場所が同じでなければ、移動体の流れが集中しないと判定する。
【００７１】
判定した結果、移動体の流れを集中させる場合（Ｓ１０６）、
流れ制御部２３０が作成した配信候補組み合わせリストから次の配信候補組み合わせを取得して、同時集中回避部２３２が行う移動体の流れを集中させるかを判定する処理（Ｓ１０６）を繰り返す。
【００７２】
判定した結果、移動体の流れを集中させない場合（Ｓ１０６）、
流れ制御部２３０の集中回避部２３１の流れ交差回避部２３３は、同時集中回避部２３２が移動体の流れを集中させないと判定した配信候補組み合わせに対して、
各コンテンツ情報に含まれる移動体を移動する場所の位置と、コンテンツストレージ３００の出力場所テーブル３４０に記憶する各情報出力装置４００の位置に基づいて、移動体の流れの移動経路が交差するか判定する（Ｓ１０７）。
【００７３】
取得した配信候補組み合わせに含まれる各コンテンツ情報において、各情報出力装置４００の位置から移動体を移動する各場所への各経路が交わらなければ、移動体の流れを交差させないと判定する。
【００７４】
判定した結果、移動体の流れを交差させる場合（Ｓ１０７）、
流れ制御部２３０が作成した配信候補組み合わせリストから次の配信候補組み合わせを取得して、同時集中回避部２３２が行う移動体の流れを集中させるかを判定する処理（Ｓ１０６）と、流れ交差回避部２３３が行う移動体の流れを交差させるかを判定する処理（Ｓ１０７）とを繰り返す。
【００７５】
判定した結果、移動体の流れを交差させない場合（Ｓ１０７）、
流れ制御部２３０の集中回避部２３１のボトルネック回避部２３４は、流れ交差回避部２３３が移動体の流れを交差させないと判定した配信候補組み合わせに対して、
各コンテンツ情報に含まれる移動体を移動する場所の位置と、コンテンツストレージ３００の出力場所テーブル３４０に記憶する各情報出力装置４００の位置に基づいて、移動体の移動経路を同一の経路にして、移動体の流れのボトルネックにならないか判定する（Ｓ１０８）。
【００７６】
取得した配信候補組み合わせに含まれる各コンテンツ情報において、各情報出力装置４００の位置から移動体を移動する各場所への各経路が重ならなければ、移動体の流れのボトルネックにならないと判定する。
【００７７】
判定した結果、移動体の流れのボトルネックになる場合（Ｓ１０８）、
流れ制御部２３０が作成した配信候補組み合わせリストから次の配信候補組み合わせを取得して、同時集中回避部２３２が行う移動体の流れを集中させるかを判定する処理（Ｓ１０６）と、流れ交差回避部２３３が行う移動体の流れを交差させるかを判定する処理（Ｓ１０７）とボトルネック回避部２３４が行う移動体の流れのボトルネックとなるかを判定する処理（Ｓ１０８）とを繰り返す。
【００７８】
判定した結果、移動体の流れのボトルネックにならない場合（Ｓ１０８）、
流れ制御部２３０は、ボトルネック回避部２３４が移動体の流れのボトルネックにならないと判定した配信候補組み合わせを、移動体の流れの集中を回避する条件を満たす配信候補組み合わせと判定する（Ｓ１０９）。
【００７９】
配信情報決定部２４０は、流れ制御部２３０が移動体の流れの集中を回避する条件を満たすと判定した配信候補組み合わせを出力する。
【００８０】
上記実施の形態１では、移動体の流れを予測し、複数場所にいる複数移動体の流れをそれぞれ制御する方法として、
移動体の流れの同時集中の回避の条件と、移動体の流れの交差の回避の条件と、移動体の流れのボトルネックの回避の条件とを全て満たす配信候補組み合わせを選択することで、移動体の流れの集中を回避することを示したが、
いずれかの条件、または、いずれかの条件の組み合わせで配信候補組み合わせを選択しても構わない。
【００８１】
上記実施の形態１において、情報選択装置２００が属性分析部２１０と配信候補選択部２２０と流れ制御部２３０と配信情報決定部とを備えたことにより、
コンテンツ配信サーバ１００が、動態情報受信装置１１０の受信した各場所の複数移動体の動態情報から、この動態情報に含まれる個々の属性を取得し、
取得した属性から複数移動体をグループにグルーピングし、
コンテンツストレージに記憶したコンテンツ情報から、グループに対して配信するコンテンツ情報であって、複数場所にいる複数移動体の流れをそれぞれ制御するコンテンツ情報を場所ごとに選択することができることを示した。
【００８２】
上記実施の形態１において、コンテンツストレージ３００が意味成分と反応係数を記憶することにより、
コンテンツ配信サーバ１００が、各グループに各コンテンツ情報を配信した場合に得られる移動体の流れ度数を求めることができることを示した。
【００８３】
上記の実施の形態１において、集中回避部２３１が同時集中回避部２３２、流れ交差回避部２３３、ボトルネック回避部２３４を備えることにより、
コンテンツ配信サーバ１００が、コンテンツ情報を配信した場合に、移動体の流れの同時集中と、移動体の流れの交差と、移動体の流れのボトルネックを回避できることを示した。
【００８４】
上記実施の形態１において、コンテンツストレージ３００が配信するコンテンツとそのコンテンツに関連する位置とを記憶することにより、
コンテンツ配信サーバ１００が、移動体の流れの同時集中と、移動体の流れの交差と、移動体の流れのボトルネックの判定が行えることを示した。
【００８５】
実施の形態２．
上記実施の形態１では、移動体の流れを予測し、複数場所にいる複数移動体の流れをそれぞれ制御する方法として、移動体の流れの集中を回避する方法について説明した。
実施の形態２では、移動体の流れを予測し、複数場所にいる複数移動体の流れをそれぞれ制御する方法として、移動体の流れを誘導する方法について説明する。
【００８６】
実施の形態２の移動体誘導システムの構成、コンテンツ配信サーバ１００の外観、コンテンツ配信サーバ１００のハードウェア構成、情報選択装置２００とコンテンツストレージ３００の構成、移動体の流れの生成原理、移動体の流れの生成条件、流れ度数の計算方法、移動体の流れの生成方法、流れ度数に基づいたコンテンツ情報を配信するグループと配信するコンテンツ情報との組み合わせ選択例は、上記実施の形態１と同様であるものとする。
【００８７】
情報選択装置２００による、移動体である情報受容者の流れを誘導する方法として、
情報受容者の間接誘導、情報受容者の流れの循環、情報受容者の移動負荷軽減について説明する。
【００８８】
情報受容者の間接誘導として、立ち寄り式と反発式について説明する。
【００８９】
図１４は、実施の形態２における情報受容者の立ち寄り式の間接誘導について示す図である。
各情報出力装置４００が配信するコンテンツ情報により、情報受容者を誘導したい場所が経路の途中に位置するように、情報受容者の流れを生成して行う情報受容者の間接誘導について図１４に基づいて説明する。
【００９０】
図１４において、移動体である情報受容者を場所１に誘導するため、情報出力装置４００である各インテリジェントビルボードが、情報受容者に対して、場所１に移動する情報受容者の流れを生成するコンテンツ情報を配信するとする。
この場合、コンテンツストレージ３００が記憶するコンテンツ情報に、誘導したい情報受容者に対する流れ度数が大きく、情報受容者にポジティブアクションを起こすコンテンツ情報が無ければ、場所１に情報受容者を誘導することはできない。
【００９１】
ここで、情報受容者を場所１に誘導するため、情報受容者を移動する場所までの経路の途中において場所１が存在するようなコンテンツ情報をインテリジェントビルボードから配信する。
【００９２】
すなわち、インテリジェントビルボード１は情報受容者１に対して、場所２に移動する情報受容者の流れを生成するコンテンツ情報を配信し、
インテリジェントビルボード２は情報受容者２に対して、場所３に移動する情報受容者の流れを生成するコンテンツ情報を配信し、
インテリジェントビルボード３は情報受容者３に対して、場所２に移動する情報受容者の流れを生成するコンテンツ情報を配信することで、情報受容者を間接的に場所１に移動することができる。
【００９３】
図１５は、実施の形態２における情報受容者の反発式の間接誘導について示す図である。
各情報出力装置４００の配信する、誘導したい情報受容者に対する流れ度数が０未満（情報受容者にネガティブアクションを起こす値）であるコンテンツ情報により、情報受容者に誘導したい場所の方向に移動するように、情報受容者の流れを生成して行う情報受容者の間接誘導について図１５に基づいて説明する。
【００９４】
図１５において、移動体である情報受容者を場所３に誘導するため、情報出力装置４００である各インテリジェントビルボードが、情報受容者に対して、場所３に移動する情報受容者の流れを生成するコンテンツ情報を配信するとする。
この場合、コンテンツストレージ３００が記憶するコンテンツ情報に、誘導したい情報受容者に対する流れ度数が大きく、情報受容者にポジティブアクションを起こすコンテンツ情報が無ければ、場所３に情報受容者を誘導することはできない。
【００９５】
ここで、情報受容者を場所３に誘導するため、情報受容者の移動場所と反対方向に場所４が存在し、加えて誘導したい情報受容者に対する流れ度数が０未満で情報受容者にネガティブアクションを起こす条件を共に満たすコンテンツ情報をインテリジェントビルボードから配信する。
【００９６】
すなわち、インテリジェントビルボード１から見て場所３の反対方向に位置する場所１を移動場所とし、加えて誘導したい情報受容者に対する流れ度数が０未満であるコンテンツ情報をインテリジェントビルボード１から配信する。
同様に、場所２を移動場所とし、加えて誘導したい情報受容者に対する流れ度数が０未満であるコンテンツ情報をインテリジェントビルボード２から配信することで情報受容者を間接的に場所３に移動することができる。
【００９７】
図１６は、実施の形態２における情報受容者の流れの循環について示す図である。
各情報出力装置４００の配信するコンテンツ情報により、直線状に並ばない３ヶ所以上のインテリジェントビルボード間で情報受容者を循環させる誘導について図１６に基づいて説明する。
【００９８】
図１６において、移動体である情報受容者を情報出力装置４００であるインテリジェントビルボード間で循環するように誘導するため、インテリジェントビルボード１は情報受容者１に対して、インテリジェントビルボード２の付近にある場所２に移動する情報受容者の流れを生成するコンテンツ情報を配信する。
同様に、インテリジェントビルボード２、インテリジェントビルボード３、インテリジェントビルボード４はそれぞれ場所３、場所４、場所１に移動する情報受容者の流れを生成するコンテンツ情報を配信することで、情報受容者をインテリジェントビルボード１、インテリジェントビルボード２、インテリジェントビルボード３、インテリジェントビルボード４の間で循環させる誘導ができる。
【００９９】
図１７は、実施の形態２における情報受容者の移動負荷軽減について示す図である。
各情報出力装置４００の配信するコンテンツ情報により、情報受容者の移動距離が短いことによる、情報受容者の移動負荷軽減について図１７に基づいて説明する。
【０１００】
図１７において、移動体である情報受容者の移動の距離を短くして移動の負荷を軽減するため、情報出力装置４００である各インテリジェントビルボードが、情報受容者に対して最も近くにある場所に移動する情報受容者の流れを生成するコンテンツ情報を配信する。
【０１０１】
すなわち、インテリジェントビルボード１は情報受容者１に対して、遠くにある場所２や場所３でなく、近くにある場所１に移動する情報受容者の流れを生成するコンテンツ情報を配信する。
同様に、インテリジェントビルボード２、インテリジェントビルボード３はそれぞれ場所２、場所３に移動する情報受容者の流れを生成するコンテンツ情報を配信することで、情報受容者の移動負荷を軽減できる。
【０１０２】
図１８は、実施の形態２における情報選択装置２００のフローチャートである。
情報選択装置２００において、属性分析部２１０が求めた流れ度数に基づいて配信候補選択部２２０が配信候補を選択し、
配信候補選択部２２０が選択した配信候補に基づいて流れ制御部２３０の流れ誘導部２３６が、移動体の流れを誘導する各場所のコンテンツ情報の組み合わせを決定する処理の流れを図１８に基づいて説明する。
コンテンツ配信サーバ１００に含まれる制御情報記憶部１４０に記憶される有効範囲は、移動体を間接誘導する場合に、移動体を誘導する場所から有効範囲内に移動できれば、移動体を間接誘導できると判定する、誘導する場所からの距離の大きさである。
コンテンツ配信サーバ１００に含まれる制御情報記憶部１４０に記憶される有効距離は、移動体を移動負荷軽減する場合に、移動体を情報出力装置４００から有効距離内に移動できれば、移動体を移動負荷軽減できると判定する、移動体の移動距離の大きさをである。
実施の形態２の情報選択装置２００の属性分析部２１０（Ｓ２０１、Ｓ２０２、Ｓ２０３）と配信候補選択部２２０（Ｓ２０４）は、上記実施の形態１と同様であるものとする。
【０１０３】
流れ制御部２３０は、上記実施の形態１と同様に、配信候補選択部２２０が情報収集装置５００の場所ごとに選択した配信候補に含まれる各コンテンツ情報を他の場所の配信候補に含まれる各コンテンツ情報と組み合わせ、配信候補組み合わせリストを作成する（Ｓ２０５）（配信候補組み合わせリストの作成例について上記実施の形態１参照）。
【０１０４】
流れ制御部２３０の流れ誘導部２３６の間接誘導部２３７は、コンテンツストレージ３００の誘導場所テーブル３３０に記憶する移動体を誘導場所に誘導させる誘導時間と時刻が一致し、加えて制御情報記憶部１４０に記憶する誘導フラグが間接誘導を示す場合に、移動体を間接誘導すると判定する（Ｓ２０６）。
【０１０５】
判定した結果、移動体を間接誘導する場合（Ｓ２０６）、
流れ制御部２３０が作成した配信候補組み合わせリストから取得した配信候補組み合わせに対して、各コンテンツ情報に含まれる移動体が移動する場所の位置と、コンテンツストレージ３００の出力場所テーブル３４０に記憶する各情報出力装置４００の位置と、コンテンツストレージ３００の誘導場所テーブル３３０に記憶する移動体を誘導する場所の位置と、制御情報記憶部１４０に記憶する間接誘導の有効範囲に基づいて、移動体を誘導場所に間接誘導できるか判定する（Ｓ２０７）。
【０１０６】
取得した配信候補組み合わせに含まれる各コンテンツ情報において、各情報出力装置４００の位置から移動体が移動する各場所への各経路の途中に、間接誘導の有効範囲内で誘導場所が位置していれば、移動体を誘導場所に間接誘導できると判定する。
【０１０７】
判定した結果、移動体を誘導場所に間接誘導できる場合（Ｓ２０７）、
流れ制御部２３０は、移動体を誘導場所に間接誘導できると判定した配信候補組み合わせを、移動体の流れを誘導する条件を満たす配信候補組み合わせと判定する。
【０１０８】
判定した結果、移動体を誘導場所に間接誘導できない場合（Ｓ２０７）、
流れ制御部２３０が作成した配信候補組み合わせリストから次の配信候補組み合わせを取得して、移動体を誘導場所に間接誘導できるかを判定する処理（Ｓ２０７）を繰り返す。
【０１０９】
判定した結果、移動体を間接誘導しない場合（Ｓ２０６）、
流れ制御部２３０の流れ誘導部２３６の循環誘導部２３８は、コンテンツストレージ３００の誘導場所テーブル３３０に記憶する移動体を誘導場所に誘導させる誘導時間と時刻が一致し、加えて制御情報記憶部１４０に記憶する誘導フラグが循環誘導を示している場合に、移動体を循環誘導すると判定する（Ｓ２０８）。
【０１１０】
判定した結果、移動体を循環誘導する場合（Ｓ２０８）、
流れ制御部２３０が作成した配信候補組み合わせリストから取得した配信候補組み合わせに対して、各コンテンツ情報に含まれる移動体が移動する場所の位置と、コンテンツストレージ３００の出力場所テーブル３４０に記憶する各情報出力装置４００の位置に基づいて、移動体を循環誘導できるか判定する（Ｓ２０９）。
【０１１１】
取得した配信候補組み合わせに含まれる各コンテンツ情報において、移動体が移動する場所が同じでなく、各情報出力装置４００の位置から移動体が移動する各場所への各経路が重ならなければ、移動体を循環誘導できると判定する。
【０１１２】
判定した結果、移動体を循環誘導できる場合（Ｓ２０９）、
流れ制御部２３０は、移動体を循環誘導できると判定した配信候補組み合わせを、移動体の流れを誘導する条件を満たす配信候補組み合わせと判定する。
【０１１３】
判定した結果、移動体を循環誘導できない場合（Ｓ２０９）、
流れ制御部２３０が作成した配信候補組み合わせリストから次の配信候補組み合わせを取得して、移動体を循環誘導できるかを判定する処理（Ｓ２０９）を繰り返す。
【０１１４】
判定した結果、移動体を循環誘導しない場合（Ｓ２０８）、
流れ制御部２３０の流れ誘導部２３６の移動負荷軽減部２３９は、コンテンツストレージ３００の誘導場所テーブル３３０に記憶する移動体を誘導場所に誘導させる誘導時間と時刻が一致し、加えて制御情報記憶部１４０に記憶する誘導フラグが移動負荷軽減を示している場合に、移動体を移動負荷軽減すると判定する（Ｓ２１０）。
【０１１５】
判定した結果、移動体を移動負荷軽減する場合（Ｓ２１０）、
流れ制御部２３０が作成した配信候補組み合わせリストから取得した配信候補組み合わせに対して、各コンテンツ情報に含まれる移動体が移動する場所の位置と、コンテンツストレージ３００の出力場所テーブル３４０に記憶する各情報出力装置４００の位置と、制御情報記憶部１４０に記憶する移動負荷軽減の有効距離に基づいて、移動体を移動負荷軽減できるか判定する（Ｓ２１１）。
【０１１６】
取得した配信候補組み合わせに含まれる各コンテンツ情報において、各情報出力装置４００の位置から移動体が移動する各場所への各距離が、移動負荷軽減の有効距離内であれば、移動体を移動負荷軽減できると判定する。
【０１１７】
判定した結果、移動体を移動負荷軽減できる場合（Ｓ２１１）、
流れ制御部２３０は、移動体を移動負荷軽減できると判定した配信候補組み合わせを、移動体の流れを誘導する条件を満たす配信候補組み合わせと判定する。
【０１１８】
判定した結果、移動体を移動負荷軽減できない場合（Ｓ２１１）、
流れ制御部２３０が作成した配信候補組み合わせリストから次の配信候補組み合わせを取得して、移動体を移動負荷軽減できるかを判定する処理（Ｓ２１１）を繰り返す。
【０１１９】
配信情報決定部２４０は、流れ制御部２３０が移動体の流れの誘導する条件を満たす配信候補組み合わせと判定した配信候補組み合わせを出力する（Ｓ２１２）。
【０１２０】
上記実施の形態２では、移動体の流れを予測し、複数場所にいる複数移動体の流れをそれぞれ制御する方法として、
移動体の流れの間接誘導の条件と、移動体の流れの循環誘導の条件と、移動体の流れの移動体負荷軽減の条件とのいずれかを満たす配信候補組み合わせを選択することで、移動体の流れを誘導することを示したが、
全ての条件、または、いずれかの条件の組み合わせで配信候補組み合わせを選択しても構わない。
【０１２１】
上記実施の形態２において、流れ誘導部２３６が間接誘導部２３７、循環誘導部２３８、移動負荷軽減部２３９を備えることにより、
コンテンツ配信サーバ１００が、コンテンツ情報を配信した場合に、移動体の流れの間接誘導と、移動体の流れの循環誘導と、移動体の流れの移動負荷軽減をできることを示した。
【０１２２】
上記実施の形態２において、コンテンツストレージ３００が誘導場所と配信するコンテンツとコンテンツに関連する位置とを記憶することにより、
コンテンツ配信サーバ１００が、移動体の流れの間接誘導と、移動体の流れの循環誘導と、移動体の流れの移動負荷軽減の判定が行えることを示した。
【０１２３】
実施の形態３．
上記実施の形態１では、コンテンツ配信サーバ１００が、情報収集装置５００のビデオカメラ５１０から画像情報を受信し、受信した画像情報に含まれる動態情報を分析することで、移動体の属性を取得する例を示したが、
実施の形態３では、情報収集装置５００で動態情報を分析して移動体の属性を取得し、コンテンツ配信サーバ１００は、情報収集装置５００で取得された属性を受信する例を示す。
【０１２４】
情報収集装置５００が動態情報を分析して移動体の属性を取得することにより、動態情報を分析する処理に対して、コンテンツ配信サーバ１００の処理負荷を軽減し、各情報収集装置５００に負荷分散できる。
【０１２５】
図１９は、実施の形態３における移動体誘導システムの構成図である。
実施の形態３における移動体誘導システムで、実施の形態１における移動体誘導システムと異なる構成について、図１９に基づいて説明する。
【０１２６】
情報収集装置５００は、各場所において、各場所にいる複数の人や複数の動物などの複数移動体について、各移動体の性別、年齢などの属性と、移動体の動作を示す変化情報とをコンテンツ配信サーバ１００に送信する。
【０１２７】
情報収集装置５００は、撮像装置（ビデオカメラ５１０）が取得した複数移動体の動態情報を分析して、動態情報に含まれる個々の属性を取得する画像処理装置５３０を備える。
【０１２８】
情報収集装置５００が画像処理装置５３０を備えることにより、動態情報受信装置１１０は、複数の場所に設置された情報収集装置５００の各々から、各場所の複数移動体の個々の属性と変化情報とを受信する。
また、情報選択装置２００は、動態情報を分析して、動態情報に含まれる属性を取得する処理をしなくてよい。
【０１２９】
ここで、実施の形態３において、コンテンツ配信サーバ１００の外観、コンテンツ配信サーバ１００のハードウェア構成、情報選択装置２００とコンテンツストレージ３００の構成、移動体の流れの生成原理、移動体の流れの生成条件、流れ度数の計算方法、移動体の流れの生成方法、流れ度数に基づいたコンテンツ情報を配信するグループと配信するコンテンツ情報との組み合わせ選択例、情報受容書の同時集中の分散、情報受容者の流れ交差の回避、情報受容者のボトルネックの回避は、上記実施の形態１と同様であるものとする。
【０１３０】
図２０は、実施の形態３における情報選択装置２００のフローチャートである。
実施の形態３では、情報選択装置２００は、情報収集装置５００が動態情報を分析して取得した属性を入力する。
このため、図２０は、実施の形態１の情報選択装置２００のフローチャート（図１３）と比べて、動態情報から属性を取得する処理（Ｓ１０１）をしない点が異なる。
他の処理（Ｓ３０１〜Ｓ３０８）は、実施の形態１（Ｓ１０２〜Ｓ１０９）と同様である。
【０１３１】
上記実施の形態１において移動体の流れの集中を回避する方法を示し、
上記実施の形態２において移動体の流れを誘導する方法を示したが、
移動体の流れの集中を回避する同時集中回避部２３２、流れ交差回避部２３３、ボトルネック回避部２３４及び移動体の流れを誘導する間接誘導部２３７、循環誘導部２３８、移動負荷軽減部２３９のいずれを組み合わせて、移動体の流れを制御しても構わない。
【０１３２】
また、上記実施の形態において、情報収集装置５００について、撮像装置または撮像装置に撮像装置を移動させるアクチュエータ５２０を組み合わせたものを示したが、
情報収集装置５００は、移動体の動態情報を無線受信信号で受信する、移動体が所有する電子情報発信器でも構わない。
【０１３３】
情報収集装置５００に無線受信信号を受信する電子情報発信器を用いることで、スーパーやショッピングモールなどでの買い物客、公営競技場やコンサート会場などの見物客、電車やバスや航空機などでの乗客、避難所の避難者に移動体誘導システムを利用することもできる。
【０１３４】
スーパーやショッピングモールでは、以下のように移動体誘導システムを利用できる。
個々の属性などを記憶し、無線で情報を送受信するＲＦＩＤ（Ｒａｄｉｏ  Ｆｒｅｑｕｅｎｃｙ  Ｉｄｅｎｔｉｆｉｃａｔｉｏｎ）タグ、および各種カードなどから各種情報を取得するリーダを備えた、情報収集装置５００および情報出力装置４００であるＰＤＡ（Ｐｅｒｓｏｎａｌ  Ｄｉｇｉｔａｌ  Ａｓｓｉｓｔａｎｔｓ）端末を配布する。
ＰＤＡ端末は帰るとき返却してもらう。また、個人の識別情報の使用を希望する場合には、保証金をＰＤＡ端末を介して、各買い物客の預金データから自動的に引き落とすことによって持ち帰ることも可能とする。
また、保証金の支払い無しに持ち出された場合、ＰＤＡ端末から警報音を発生する。
【０１３５】
ＰＤＡ端末は、会員カードの挿入や会員番号入力によって個々の属性を取得する。
ＰＤＡ端末は個々の属性の他に、ＰＤＡ端末から何を検索したか、ＰＤＡ端末を持ってどこを歩いたか、ＰＤＡ端末を介した代金支払いで何を買ったか等の情報も記憶する。
移動体誘導システムは、各ＰＤＡ端末に記憶された各種情報を取得することで、買い物客の各種傾向を分析することができる。
【０１３６】
ここで、移動体誘導システムは、個人の識別情報および買い物客の各種傾向に基づいて、無農薬野菜、健康飲料、雑誌最新号リリース、レジ情報、現在位置情報などのコンテンツ情報をＰＤＡ端末に配信することで買い物客の流れを制御することができる。
例えば、空いているレジへの買い物客の誘導、駐車場で車に買い物客を誘導などができる。
【０１３７】
公営競技場やコンサート会場では、以下のように移動体誘導システムを利用できる。
見物客に、郵送または入場時の配布によりＲＦＩＤタグを備えた端末やカードなどの情報収集装置５００であるＲＦＩＤ装置を提供する。
見物客が所有するＲＦＩＤタグを備えた携帯電話などのＲＦＩＤ装置でも代用が可能である。
【０１３８】
移動体誘導システムは、各会場入り口や各ゲートに備えた動態情報受信装置１１０からＲＦＩＤ装置を介して見物客の属性を取得する。
【０１３９】
ここで、会場内に設置した表示画面や指向性スピーカ４２０などの情報出力装置４００からコンテンツ情報を配信して見物客の流れを制御することができる。
また、座席を仕切るゲートの自動開閉や、混雑を緩和するためにゲートの自動開閉やコンテンツ情報の表示、音声出力を行い、見物客の流れを制御することもできる。
また、災害発生による非難時などで、脱出者、残存者の把握や情報出力装置４００である避難誘導灯、表示画面、指向性スピーカ４２０などに、コンテンツ情報として避難経路を配信して、見物客の流れを制御することもできる。
【０１４０】
電車、バス、航空機では、以下のように移動体誘導システムを利用できる。
ＲＦＩＤタグを電車、バス、航空機の各チケット、各定期券などに備えて情報収集装置５００にして、入り口のチケットおよび定期券の検査装置、車両、機体にそれぞれ動態情報受信装置１１０を備えることで、移動体誘導システムは乗客の属性を取得する。
ここで、情報出力装置４００である各場所の表示装置４１０や警報装置から時刻表、到着ホーム、発車時刻が迫ったことを知らせる警報音などのコンテンツ情報を配信することで、乗客の流れを制御することができる。
また、乗車時刻に乗場にいない人の把握などもできる。
また、災害発生にそなえて、航空機の救命胴衣にＲＦＩＤタグを備えて情報収集装置５００にすることで、機体に備えられた動態情報受信装置１１０を介して乗客の避難状況を把握することができる。
また、災害時に情報収集装置５００であるチケット、定期券などが手放されても、検査装置、車両，機体の動態情報受信装置１１０または救命胴衣の情報収集装置５００のいずれかにより、乗客の氏名、年齢などの属性を把握できる。
【０１４１】
避難所では、以下のように移動体誘導システムを利用できる。
災害発生時に各避難所で個々の属性を入力したＲＦＩＤタグを備えたカード、リストバンドなどを情報収集装置５００として提供する。
避難所の各ゲートや避難所の巡回者が携帯する端末には動態情報受信装置１１０を備えることで情報収集装置５００から避難者の属性、避難者の居場所を把握する。
これにより、避難者の属性から、食料配布や避難者の移動時に高齢者、要介護者、子供、女性などの弱者を優先して誘導する制御ができる。
また、更衣室、風呂等での男女の侵入、避難所からの不用意な脱出、危険区域への立ち入りなどを把握し、各場所の情報出力装置４００から警告を示すコンテンツ情報を配信して避難者の流れを制御することもできる。
【０１４２】
上記実施の形態において、情報収集装置５００について、撮像装置または撮像装置に撮像装置を移動させるアクチュエータ５２０を組み合わせたものを示したが、情報収集装置５００は各種センサや情報端末でも構わない。
図２１に情報収集装置５００の例を示す。
【０１４３】
上記実施の形態において、移動体の属性について、性別、年齢を示したが、その他の属性に基づいて移動体の流れを制御しても構わない。
図２２に移動体の属性の例を示す。
【０１４４】
撮像装置（ビデオカメラ５１０）が取得した画像情報を分析し、移動体の属性を取得するには、画像情報から複数の顔（移動体）を抽出し、人種や性別などの属性を識別する非特許文献１などの方法がある。
【０１４５】
上記実施の形態において、コンテンツ情報について、画像、音声を示したが、その他の形態のコンテンツ情報を配信して移動体の流れを制御しても構わない。
図２３に配信情報の形態の例を示す。
【図面の簡単な説明】
【０１４６】
【図１】実施の形態１における移動体誘導システムの構成図。
【図２】実施の形態１におけるコンテンツ配信サーバ１００の外観を示す図。
【図３】実施の形態１におけるコンテンツ配信サーバ１００のハードウェア構成図。
【図４】実施の形態１における情報選択装置２００とコンテンツストレージ３００の構成図。
【図５】実施の形態１における移動体の流れの生成原理を示す図。
【図６】実施の形態１における移動体の流れの生成条件を示す図。
【図７】実施の形態１における流れ度数の計算方法を示す図。
【図８】実施の形態１における移動体の流れの生成方法を示す図。
【図９】実施の形態１における流れ度数に基づくグループとコンテンツ情報の組み合わせ選択例を示す図。
【図１０】実施の形態１における情報受容者の同時集中の分散について示す図。
【図１１】実施の形態１における情報受容者の流れ交差の回避について示す図。
【図１２】実施の形態１における情報受容者のボトルネックの回避について示す図。
【図１３】実施の形態１における情報選択装置２００のフローチャート。
【図１４】実施の形態２における情報受容者の立ち寄り式の間接誘導について示す図。
【図１５】実施の形態２における情報受容者の反発式の間接誘導について示す図。
【図１６】実施の形態２における情報受容者の流れの循環について示す図。
【図１７】実施の形態２における情報受容者の移動負荷軽減について示す図。
【図１８】実施の形態２における情報選択装置２００のフローチャート。
【図１９】実施の形態３における移動体誘導システムの構成図。
【図２０】実施の形態３における情報選択装置２００のフローチャート。
【図２１】実施の形態における情報収集装置５００の例を示す図。
【図２２】実施の形態における移動体の属性の例を示す図。
【図２３】実施の形態における配信情報の形態の例を示す図。
【符号の説明】
【０１４７】
１００  コンテンツ配信サーバ、１１０  動態情報受信装置、１２０  情報配信装置、１３０  変化情報記憶部、１４０  制御情報記憶部、２００  情報選択装置、２１０  属性分析部、２２０  配信候補選択部、２３０  流れ制御部、２３１  集中回避部、２３２  同時集中回避部、２３３  流れ交差回避部、２３４  ボトルネック回避部、２３６  流れ誘導部、２３７  間接誘導部、２３８  循環誘導部、２３９  移動負荷軽減部、２４０  配信情報決定部、３００  コンテンツストレージ、３１０  コンテンツ情報テーブル、３２０  反応係数テーブル、３３０  誘導場所テーブル、３４０  出力場所テーブル、４００  情報出力装置、４１０  表示装置、４２０  指向性スピーカ、４３０  アクチュエータ、５００  情報収集装置、５１０  ビデオカメラ、５２０  アクチュエータ、５３０  画像処理装置、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ＦＡＸ機、９４０  インターネット、９４１  ウェブサーバ、９４２  ＬＡＮ。
【図１】
2005301332.tif 000003
【図２】
2005301332.tif 000004
【図３】
2005301332.tif 000005
【図４】
2005301332.tif 000006
【図５】
2005301332.tif 000007
【図６】
2005301332.tif 000008
【図７】
2005301332.tif 000009
【図８】
2005301332.tif 000010
【図９】
2005301332.tif 000011
【図１０】
2005301332.tif 000012
【図１１】
2005301332.tif 000013
【図１２】
2005301332.tif 000014
【図１３】
2005301332.tif 000015
【図１４】
2005301332.tif 000016
【図１５】
2005301332.tif 000017
【図１６】
2005301332.tif 000018
【図１７】
2005301332.tif 000019
【図１８】
2005301332.tif 000020
【図１９】
2005301332.tif 000021
【図２０】
2005301332.tif 000022
【図２１】
2005301332.tif 000023
【図２２】
2005301332.tif 000024
【図２３】
2005301332.tif 000025